(57)【要約】【課題】トンネルを支持するリフトコラムを従来型のリフトコラムの約倍の長さに伸長できる構造とすることにより、大型二階建飛行機の２階客室までボーディングブリッジを上昇させ運用することができるボーディングブリッジを提供する。【解決手段】  ロタンダと、前記ロタンダに枢着されたトンネル部と、前記トンネル部を支持するリフトコラムを備え、前記トンネル部を支持するリフトコラムは、伸縮自在に構成した内側リフトコラムと、前記内側リフトコラムの外側に配置し伸縮自在に構成した外側リフトコラムとを備え、前記内側リフトコラムには、内側リフトコラムを伸縮する第１昇降機構が、また前記外側リフトコラムには外側リフトコラムを伸縮する第２昇降機構が設けられ、かつ、前記外側リフトコラムには走行駆動装置が取り付けられている。【選択図】        図３
2008006959.tif 000002
【特許請求の範囲】
【請求項１】
ロタンダと、前記ロタンダに枢着されたトンネルと、前記トンネルを支持するリフトコラムを備え、前記リフトコラムは伸縮自在に構成した複数の部材で構成され、かつ、昇降機構によりリフトコラムが伸長可能に構成されていることを特徴とするボーディングブリッジ。
【請求項２】
前記トンネルを支持するリフトコラムは、伸縮自在に構成した内側リフトコラムと、前記内側リフトコラムの外側に配置し伸縮自在に構成した外側リフトコラムとを備え、前記内側リフトコラムには、内側リフトコラムを伸縮する第１昇降機構が、また前記外側リフトコラムには外側リフトコラムを伸縮する第２昇降機構が設けられ、かつ、前記外側リフトコラムには走行駆動装置が取り付けられていることを特徴とする請求項１に記載のボーディングブリッジ。
【請求項３】
前記内側リフトコラムは内筒と外筒とからなる２重構造とし、前記外筒が内筒に対して前記第１昇降機構により伸長可能に構成されていることを特徴とする請求項２に記載のボーディングブリッジ。
【請求項４】
前記外側リフトコラムは内筒と外筒とからなる２重構造とし、前記外筒が内筒に対して前記第２昇降機構により伸長可能に構成されているとともに、前記外筒は前記内側リフトコラムのガイド部材を備え、かつ、外側リフトコラムの外筒の下端が前記内側リフトコラムの内筒の下端に固定されていることを特徴とする請求項３に記載のボーディングブリッジ。
【請求項５】
前記トンネルはテレスコピック式に伸縮できるように構成されていることを特徴とする請求項１〜４のいずれかに記載のボーディングブリッジ。
【請求項６】
前記第１、第２昇降機構は、それぞれ流体駆動機構、ボールネジ駆動機構、ラックアンドピニオン駆動機構、リニアモータ駆動機構の何れか一つあるいはそれらの組み合わせで構成されていることを特徴とする請求項１〜５のいずれかに記載のボーディングブリッジ。
【請求項７】
前記外側リフトコラムの外側連結部材にはアウトリガーを設けたことを特徴とする請求項１〜６のいずれかに記載のボーディングブリッジ。
【発明の詳細な説明】
【技術分野】
【０００１】
本発明は、ボーディングブリッジに関し、特に、トンネルを支持するリフトコラムを従来型のリフトコラムの約倍の長さに伸長できる構造とすることにより、大型二階建飛行機の２階客室までボーディングブリッジを上昇させ運用することができるボーディングブリッジに関するものである。
【背景技術】
【０００２】
従来より、航空機の乗降装置として、ボーディングブリッジ（搭乗橋：ＰＢＢ）がよく用いられている。ボーディングブリッジは空港のターミナルビルと航空機とを連絡するトンネル状の歩行通路であり、ターミナルビルと航空機との間での直接の乗り降りを可能にするものである（特許文献１）。
【０００３】
【特許文献１】特開２００２−３７１９６
【０００４】
以下従来装置のボーディングブリッジを図面を参照して説明すると、図５はボーディングブリッジの平面作動説明図、図６は同ボーディングブリッジの側面図である。
図５、図６に示すようにターミナルビルの乗降口に接続された正逆回転自在なロタンダ１０１と、前記ロタンダ１０１に一端が取り付けられた伸縮自在なトンネル１０２と、前記トンネル１０２の先端に設けられた正逆回転自在なキャブ１０３とを備えている。トンネルのやや先端側には、駆動輪１０５及び昇降機構（不図示）を有する支持脚としてリフトコラム１０４が設けられている。これら駆動輪１０５及び昇降機構は、キャブ１０３の内部に乗り込んだ操作員によって操作される。そのため、キャブ１０３の内部には、上記駆動輪及び昇降機構を操作するための操作パネルが設置されている。
【０００５】
乗客の乗り降りの際には、図５に示すようにキャブ１０３を航空機１０６のドア付近に移動させるようにロタンダ１０１の回転、トンネル部の伸縮及び昇降、並びにキャブ１０３の回転を行い、ボーディングブリッジを所定の待機位置から装着位置にまで移動させ、キャブ１０３を航空機１０６のドアに装着する。これにより、航空機とターミナルビルとの間の直接の移動が可能となる。一方、乗り降りが終了した後は、キャブを航空機のドアから取り外し、ロータンダの回転、トンネル部の伸縮及び昇降、並びにキャブの回転を実行して、ボーディングブリッジを装着位置から待機位置にまで移動させる。
【発明の開示】
【発明が解決しようとする課題】
【０００６】
ところで最近航空機の大型化にともない、特に二階建飛行機の二階部分の客室に直接乗客が乗り込めるようにしたボーディングブリッジの必要性がでてきた。
即ち、前記従来のボーディングブリッジは、トンネル両側にリフトコラムが左右一対で設けられており、構造的に昇降高が制限され、小型機（例えばＭＤ８０：マグダネルダグラス社の型式）から大型機（Ｂ７４７：ボーイング社の型式）までの使用が限界であった（昇降高さが２．０ｍ〜５．２ｍ）。今回開発されたエアバスＡ−３８０（エアバス社の型式）は全二階席となり（二階高さが約８ｍ）となり、いままでのボーディングブリッジでは全く使用出来ず、エアバスＡ−３８０専用のボーディングブリッジを同一スポットに増設して対応することになる。
今回それらの対策として、従来のボーディングブリッジを一部改造することにより、小型機から二階建大型機まで幅広く対応できるボーディングブリッジの開発に成功した。
本願発明は、リフトコラムを内外二重構造とし、大型二階建飛行機の２階客室部とボーディングブリッジとを接続する場合には、ボーディングブリッジの端部を前記リフトコラムを利用して最高位置まで上昇させ、２階客室部と接続できるようにしたボーディングブリッジ構造を提案することを目的としている。
なお左右のリフトコラムの昇降機構は、油圧（流体）方式、電動機によるボールネジ方式、ラックアンドピニオン方式、リニアモータ方式等、現在公知の伸縮機構であれば広く採用することができるものである。
【課題を解決するための手段】
【０００７】
このため、本発明が採用した技術解決手段は、
ロタンダと、前記ロタンダに枢着されたトンネル部と、前記トンネル部を支持するリフトコラムを備え、前記リフトコラムは伸縮自在に構成した複数の部材で構成され、かつ、昇降機構によりリフトコラムが二階建飛行機の２階部分の客室高さにまで伸長可能に構成されていることを特徴とするボーディングブリッジである。
また、前記トンネル部を支持するリフトコラムは、伸縮自在に構成した内側リフトコラムと、前記内側リフトコラムの外側に配置し伸縮自在に構成した外側リフトコラムとを備え、前記内側リフトコラムには、内側リフトコラムを伸縮する第１昇降機構が、また前記外側リフトコラムには外側リフトコラムを伸縮する第２昇降機構が設けられ、かつ、前記外側リフトコラムには走行駆動装置が取り付けられていることを特徴とするボーディングブリッジである。
また、前記内側リフトコラムは内筒と外筒とからなる２重構造とし、前記外筒が内筒に対して前記第１昇降機構により伸長可能に構成されていることを特徴とするボーディングブリッジである。
また、前記外側リフトコラムは内筒と外筒とからなる２重構造とし、前記外筒が内筒に対して前記第２昇降機構により伸長可能に構成されているとともに、前記外筒は前記内側リフトコラムのガイド部材Ｇを備え、かつ、外側リフトコラムの外筒の下端が前記内側リフトコラムの内筒の下端に固定されていることを特徴とするボーディングブリッジである。  また、前記トンネル部はテレスコピック式に伸縮できるように構成されていることを特徴とするボーディングブリッジである。
また、前記第１、第２昇降機構は、それぞれ流体駆動機構、ボールネジ駆動機構、ラックアンドピニオン駆動機構、リニアモータ駆動機構の何れか一つまたはそれらの組み合わせで構成されていることを特徴とするボーディングブリッジである。
また、前記外側リフトコラムの外側連結部材にはアウトリガーを設けたことを特徴とするボーディングブリッジである。
【発明の効果】
【０００８】
従来のボーディングブリッジを一部改造することにより、小型機から二階建大型機まで幅広く対応できるボーディングブリッジを提供することができる。
また従来ボーディングブリッジの一部の改造で大型化に対応できるため費用の面で有利である、等の優れた効果を奏することができる。
【発明を実施するための最良の形態】
【０００９】
本発明は、ロタンダと、ロタンダに枢着されたトンネル部と、トンネル部を支持するリフトコラムを備え、前記トンネル部を支持するリフトコラムは、内側リフトコラムと、前記内側リフトコラムの外側に配置するとともに前記内側リフトコラムを支持する外側リフトコラムと、前記内側リフトコラムを昇降する第１昇降機構と、前記外側リフトコラムを昇降する第２昇降機構と、前記外側リフトコラムに取り付けた走行駆動装置とを備えており、大型二階建飛行機の２階客室部とボーディングブリッジとを接続できるようにした。このため、同一スポットに小型機、大型機を駐機することができる。
【実施例】
【００１０】
以下、本発明の実施の形態を図面に基づいて説明する。
図１は本発明に係るボーディングブリッジの平面図、図２はボーディングブリッジのリフトコラム部の格納状態の正面図、図３はボーディングブリッジのリフトコラム部の伸長状態の正面図、図４は本発明に係わるリフトコラムの作動状態を説明する側面図である。
【００１１】
図中、ボーディングブリッジ１は、空港のターミナルビルの乗降口に接続されたロタンダ２（基部円形室）と、ロタンダ２に数着されたトンネル部３と、トンネル部３の先端に正逆回転自在に設けられたキャブ４（先端円形室）とを備えている。
ロタンダ２は鉛直軸回りに正逆回転自在に支持されており、トンネル部３はこのロタンダ２を中心に旋回できるように、また、このロタンダ２を中心に図４に示すようにトンネル部３が上下に揺動できる構成となっている。また、トンネル部３は、ターミナルビルの乗降口と航空機のドアとをつなぐ連絡通路を形成する伸縮自在な筒状体であり、第１トンネル３Ａ、第２トンネル３Ｂおよび第３トンネル３Ｃによって構成されている。なお、トンネル部３は一つでもよくまた、三つ以上でもよい。各トンネルはテレスコピック状にスライド移動自在に組み立てられており、第１トンネル３Ａを中心側に配置し、第２、第３トンネルをその外側に押し込みスライドさせることによりトンネル部３は全体が伸縮するようになっている。なお、第３トンネル３Ｃを中心部に配置し、その外側に第２トンネル３Ｂ、第１トンネル３Ａを押し込みスライドさせる構成としてトンネル部３全体を伸縮できるようにしてもよい。
【００１２】
本例において、第３トンネル３Ｃのキャブ４側の端部付近にはリフトコラム５が取り付けられており、このリフトコラム５によりトンネル部３の重量を支持している。
リフトコラム５は、図２、図３に示すように左右対称に構成された内側リフトコラム６と、左右対称に構成された外側リフトコラム７とで構成されている。
内側リフトコラム６はトンネル部３の左右に配置されており、内筒６Ａと外筒６Ｂとからなる２重構造として構成されている（なお符号は片側にのみ付してある）。そして外筒６Ｂがトンネル部３の左右に固定され、また左右の前記外筒６Ｂには内筒６Ａが伸縮自在に挿入され、さらに左右内筒６Ａの下端がそれぞれ内側連結部材８で連結固定されている。また、この内側連結部材８の両端は、図２に示すように後述する外側リフトコラム７の外筒７Ｂに固定されている。
【００１３】
図２中、内側リフトコラム６の左右上部には内側リフトコラム６を伸縮させる第１昇降機構（昇降駆動装置）Ｍ１が取り付けられている。内側リフトコラム６を伸縮させる第１昇降機構Ｍ１は本例ではボールナット駆動機構を採用している。具体的には、内側リフトコラム６の内筒６Ａ、外筒６Ｂの一方側にボールナットを、他側には前記ナットに螺合するネジを形成する。そしてこれらナット、ネジを螺合させた状態に組み合わせ前記左右昇降駆動装置（モータ）Ｍ１により、ナットまたはネジのいずれか一方を回転させると、左右の内筒６Ａの外側に配置した外筒６Ｂが内筒６Ａ上を摺動して伸長できる構成となっている。なお、本例では内側リフトコラムの左右上部に第１昇降機構Ｍ１を設けたものについて説明したが、第１昇降機構Ｍ１を一台とし、チェーン、歯車等の伝動機構を介して、左右のリフトコラムを同時に伸縮することができるようにしてもよい。
前記内側リフトコラム６の第１昇降機構は、上記したボールナット駆動機構に限定されることなく、油圧、空圧等の流体を使用した流体駆動機構、ラックアンドピニオン駆動機構、リニアモータ駆動機構など現在伸縮機構として公知の機構のものを採用することができる。
【００１４】
前記内側リフトコラム６の外側には左右対称な外側リフトコラム７が配置されており、外側リフトコラム７も内側リフトコラム６と同様に内筒７Ａと外筒７Ｂとからなる２重構造として構成されている（なお符号は片側にのみ付してある）。そして外筒７Ｂには内側リフトコラム６の外筒をガイドするガイド部材Ｇが取り付けられている。また、外筒７Ｂの下端は前述した内側リフトコラム６の内側連結部材８の両端が図２に示すように外側リフトコラム７の外筒７Ｂに固定されている。左右の外筒７Ｂには内筒７Ａが伸縮自在に挿入され、さらに左右内筒７Ａの下端が外側連結部材９で連結固定されている。図中外側リフトコラム７の左右上部には外側リフトコラム７を伸縮させる第２昇降機構（昇降駆動装置）Ｍ２が取り付けられている。外側リフトコラム７を伸縮させる第２昇降機構Ｍ２は本例ではボールナット駆動機構を採用している。具体的には、内筒、外筒の一方側にボールナットを支持し、他側には前記ナットに螺合するネジを形成する。そしてこれらナット、ネジを螺合させた状態に組み合わせ第２昇降機構（昇降駆動装置）Ｍ２により、ナットまたはネジの一方を回転させると、内筒、外筒が伸縮できる構成となっている。そしてこの動きにより他側の外筒および内筒も伸長する。なお、本例では外側リフトコラムの左右上部に第２昇降機構Ｍ２を設けたものについて説明したが、第２昇降機構Ｍ２を一台とし、チェーン、歯車等の伝動機構を介して、左右のリフトコラムを同時に伸縮することができるようにしてもよい。
前記外側リフトコラム７の伸縮機構は、上記したボールナット駆動機構に限定されることなく、油圧、空圧等の流体を使用した流体駆動機構、ラックアンドピニオン駆動機構、リニアモータ駆動機構など現在伸縮機構として公知の機構のものを採用することができる。
【００１５】
前記外側リフトコラム７の外側連結部材９には、ホイルボギー１３、走行タイヤ１４、走行モータ、安全装置１５等からなる公知の走行駆動装置が取り付けられており、また外側連結部材９の左右端には伸縮機能を有するアウトリガージャッキ１１が配置されている。またアウトリガージャッキ１１は油圧、空圧等により作動する公知の形式のものを使用している。なお走行装置およびアウトリガー等の機構は従来のボーディングブリッジのものと同様であるため、さらなる詳細な説明は省略する。
【００１６】
走行装置の走行駆動装置（モータ）は電線パンタグラフ１２を介してトンネル内の電線と接続されている。電線パンタグラフは図２、３に示すように内側リフトコラム６および外側リフトコラム７を格納した状態の時に、折り畳まれ、また内側リフトコラム６および外側リフトコラム７を伸長した状態の時にはパンタグラフも伸長するようになっており、この構成で電線の損傷を防止している。
【００１７】
上記構成からなるボーディングブリッジ１の作動を説明する。
ボーディングブリッジ１を航空機に接続する際は、トンネル内部に設けた図示せぬ操作盤を操作して、トンネル部３を図１に示すように伸長させ、さらに走行駆動装置を作動させてトンネル部の端部に取り付けたキャブ４を図示せぬ航空機のドア開口部に接続する。また、大型二階建飛行機の２階客室部とボーディングブリッジ１とを接続する場合には、ボーディングブリッジ１のキャブ側を前記内側、外側リフトコラム６、７を利用して２階客室部まで上昇させる。
【００１８】
具体的には、内側リフトコラム６の第１昇降機構Ｍ１を駆動すると、内側リフトコラム６の内筒６Ａ、外筒６Ｂに取り付けたボールナットまたはネジが回転し、これによって内側リフトコラム６の左右外筒６Ｂが左右内筒６Ａ上を伸長する。この時左右外筒６Ｂは左右外筒７Ｂに取り付けたガイド部材Ｇにガイドされながら、伸長する。
また外側リフトコラム７の第２昇降機構１０を駆動すると、外側リフトコラム７の内筒７Ａ、外筒７Ｂに取り付けたボールナットまたはネジが回転し、これによって左右内側リフトコラム７の左右外筒７Ｂが伸長する。この時外筒７Ｂは外筒７Ｂに固定した内側リフトコラム６の内側連結部材８も上昇させる。こうして図３に示すように内側リフトコラム６、外側リフトコラム７が伸長し、内側リフトコラム６、外側リフトコラム７が最大に伸長した状態（図３に示す）になると、図４に示すようにトンネル部３がロタンダ２を中心に上方に移動しながら大型二階建飛行機の２階客室部の開口部に接続する。また、接続時のキャブの向き等の操作は従来と同様である。
なお内側リフトコラム、外側リフトコラムを伸縮させる順番は、内側リフトコラムを伸長した後、外側リフトコラムを伸長させる方法、内側リフトコラム、外側リフトコラムを同時に同じ距離づつ伸長させる方法、外側リフトコラムを伸長した後、内側リフトコラムを伸長させる方法など種々の伸長方法を採用することができる。
【００１９】
以上、本発明に係る実施例ではリフトコラムは、内側リフトコラム、外側リフトコラムからなる内外２重としてあるが、必要に応じて３重構造以上にもすることができる。この場合、本例の内外リフトコラムに中間リフトコラムを複数介在させることになる。
本実施例によれば、従来のボーディングブリッジを一部改造することにより、ボーディングブリッジを大型二階建飛行機の２階客室部の開口部にまで昇降させることができ、小型機から二階建大型機まで幅広く対応できるボーディングブリッジを提供できることになった。
さらにまた、本発明はその精神または主要な特徴から逸脱することなく、他のいかなる形でも実施できる。そのため、前述の実施例はあらゆる点で単なる例示にすぎず限定的に解釈してはならない。
【産業上の利用可能性】
【００２０】
本発明は、航空施設であるを対象としており、リフトコラムを内外二重構造とし、大型二階建飛行機の２階客室部とボーディングブリッジとを接続できるようにしたことにより、同一スポットに小型機、大型機を駐機することができる。
【図面の簡単な説明】
【００２１】
【図１】本発明に係るボーディングブリッジの平面図である。
【図２】ボーディングブリッジのリフトコラム部の格納状態の正面図である。
【図３】ボーディングブリッジのリフトコラム部の伸長状態の正面図である。
【図４】本発明に係わるリフトコ│ムの作動状態を説明する側面図である。図１はコ
【図５】従来のボーディングブリ│ジの平面作動説明図である。
【図６】従来のボーディングブリッジの側面図である。
【符号の説明】
【００２２】
１          ボーディングブリッジ
２          ロタンダ
３          トンネル部
４          キャブ
５          リフトコラム
６          内側リフトコラム
７          外側リフトコラム
Ｍ１          第１昇降機構
８          内側連結部材
９          外側連結部材
Ｍ２          第２昇降機構
１１          アウトリガージャッキ
１２          パンタグラフ
１３          ホイルボギー
１４          走行タイヤ
１５          安全装置                                                          
【図１】
2008006959.tif 000003
【図２】
2008006959.tif 000004
【図３】
2008006959.tif 000005
【図４】
2008006959.tif 000006
【図５】
2008006959.tif 000007
【図６】
2008006959.tif 000008
【手続補正書】
【提出日】平成18年7月7日(2006.7.7)
【手続補正１】
【補正対象書類名】図面
【補正対象項目名】全図
【補正方法】変更
【補正の内容】
【図１】
2008006959.tif 000009
【図２】
2008006959.tif 000010
【図３】
2008006959.tif 000011
【図４】
2008006959.tif 000012
【図５】
2008006959.tif 000013
【図６】
2008006959.tif 000014